【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
多成分溶液（２０）の蒸発方法であって、
水平表面（１２）の上に位置する振動プレート噴霧器（１０）を用いて前記溶液の小液滴のミスト又はクラウドを形成し、小液滴の該ミスト又はクラウドを大気中に噴出するステップと、
前記液滴を表面（１２）に向けて落下させるステップと、
を含み、
前記溶液（２０）が各々の蒸気圧を有する複数の成分を含み、
蒸気圧が最も低い成分は、直径の更に大きな液滴と１．６×１０14×Ｄp4／［Ｈ×Ｐv］≦１となるような関係にあり、式中、Ｄpは前記直径の更に大きな液滴の直径（ｃｍ）、Ｈは前記直径の更に大きな液滴が前記表面の上に噴出される高さ（ｃｍ）、そしてＰvは蒸気圧の最も低い成分のＰａ単位の蒸気圧（ｍｍＨｇ単位では１．２×１０12×Ｄp4／［Ｈ×Ｐv］≦１）であることを特徴とし、
これにより前記隣接表面に落ちる未蒸発の液体の量が最小になる、
多成分溶液の蒸発方法。
【請求項２】
前記多成分液体（２０）が多成分液体芳香剤又は多成分液体殺虫剤を含む、請求項１に記載の方法。
【請求項３】
前記隣接表面に落ちるいかなる未蒸発液体も前記隣接表面に悪影響を生じるには不十分な量になるように、Ｄp、Ｈ及びＰvの値が、前記隣接表面に及ぼす前記液体の影響に関連して選択される、請求項２に記載の方法。
【請求項４】
前記蒸気圧の最も低い成分が前記ミストの全体積の約２％未満を構成する、請求項２に記載の方法。
【請求項５】
前記直径の更に大きな液滴が前記ミストの全液体体積の約１０％未満を構成する、請求項２に記載の方法。
【請求項６】
前記高さが前記表面から５乃至２０ｃｍの範囲である、請求項２に記載の方法。
【請求項７】
前記直径の更に大きな液滴の直径が約１０ミクロンよりも大きい、請求項２に記載の方法。
【請求項８】
前記蒸気圧の最も低い成分の蒸気圧が約１．０７Ｐａ（０．００８ｍｍＨｇ）よりも大きい、請求項２に記載の方法。
【請求項９】
前記ミストの全液体体積の１０％以下が１５ミクロンよりも大きい直径の液滴を含む、請求項６に記載の方法。
【請求項１０】
前記蒸気圧の最も低い成分の蒸気圧が約１．０７Ｐａ（０．００８ｍｍＨｇ）よりも大きい、請求項６に記載の方法。
【請求項１１】
前記高さが前記表面から５乃至２０ｃｍの範囲である、請求項７に記載の方法。
【請求項１２】
前記蒸気圧の最も低い成分の蒸気圧が約１．０７Ｐａ（０．００８ｍｍＨｇ）よりも大きい、請求項７に記載の方法。
【請求項１３】
前記直径の更に大きな液滴が約１５ミクロンよりも大きい直径を有するとともに前記ミストの全液体体積の約１０％未満を構成し、前記蒸気圧の最も低い成分の蒸気圧が約１．０７Ｐａ（０．００８ｍｍＨｇ）よりも大きい、請求項２に記載の方法。
【請求項１４】
前記高さが前記表面から５乃至２０ｃｍの範囲である、請求項１３に記載の方法。
【請求項１５】
前記蒸気圧の最も低い成分の蒸気圧が約１．０７Ｐａ（０．００８ｍｍＨｇ）よりも大きく、前記直径の更に大きな液滴が約１５ミクロンよりも大きい直径を有するとともに前記ミストの全液体体積の約１０％未満を構成し、前記高さが５乃至２０ｃｍの範囲である、請求項２に記載の方法。
【請求項１６】
多成分溶液（２０）を収容する装置（１０）であって、
前記装置を表面（１２）の上で支持するハウジング（１６）と、
前記多成分液体（２０）を収容する液体リザーバ（１８）と、
液体送出システム（２８）と、
噴霧器（２２）と、
を含み、
前記液体送出システム（２８）が、前記液体を前記リザーバ（１８）から前記噴霧器（２２）に運ぶように構成され、
前記噴霧器（２２）が、小液滴のミスト又はクラウドを形成して該液滴を大気中に噴出し、該液滴を前記表面に向けて落下させるように構成され、
前記多成分液体（２０）が各々の蒸気圧を有する複数の成分を含み、
蒸気圧が最も低い前記多成分液体の成分は、直径の更に大きな液滴と１．６×１０14×Ｄp4／［Ｈ×Ｐv］≦１となるような関係にあり、式中、Ｄpは前記直径の更に大きな液滴の直径（ｃｍ）、Ｈは前記ハウジング（１６）を支持する前記表面の上の前記直径の更に大きな液滴が噴出される高さ（ｃｍ）、そしてＰvは蒸気圧の最も低い成分のＰａ単位の蒸気圧（蒸気圧がｍｍＨｇ単位の場合は１．２×１０12×Ｄｐ4／［Ｈ×Ｐｖ］≦１）であることを特徴とする、
装置。
【請求項１７】
前記多成分液体が多成分液体芳香剤又は多成分液体殺虫剤を含む、請求項１６に記載の装置。
【請求項１８】
前記隣接表面に落ちるいかなる未蒸発液体も前記隣接表面に悪影響を生じるには不十分な量になるように、Ｄp、Ｈ及びＰvの値が、前記隣接表面に及ぼす前記液体の影響に関連して選択される、請求項１７に記載の装置。
【請求項１９】
前記直径の更に大きな液滴が前記ミストの全液体体積の約１０％未満を構成する、請求項１７に記載の装置。
【請求項２０】
前記高さが前記表面から５乃至２０ｃｍの範囲である、請求項１７に記載の装置。
【請求項２１】
前記直径の更に大きな液滴の直径が約１０ミクロンよりも大きい、請求項１９に記載の装置。
【請求項２２】
前記蒸気圧の最も低い成分の蒸気圧が約１．０７Ｐａ（０．００８ｍｍＨｇ）よりも大きい、請求項１７に記載の装置。
【請求項２３】
前記直径の更に大きな液滴の直径が約１０ミクロンよりも大きい、請求項２０に記載の装置。
【請求項２４】
前記蒸気圧の最も低い成分の蒸気圧が約１．０７Ｐａ（０．００８ｍｍＨｇ）よりも大きい、請求項２０に記載の装置。
【請求項２５】
振動プレート噴霧器を用いる噴霧と、該噴霧器から形成された液滴の蒸発による液体の噴霧適性を評価する方法であって、
前記液体の垂下液滴（５４）を形成するステップと、
前記垂下液滴（５４）を蒸発させながら、そのサイズ減少速度を検知するステップと、
前記サイズ減少速度が所定の速度よりも速い場合、前記液体が、周囲の表面に残留物を残さない噴霧に適していることを表す信号を生成するステップと、
を含む、方法。
【請求項２６】
前記液体が多成分液体芳香剤又は多成分液体殺虫剤である、請求項２５に記載の方法。
【請求項２７】
前記垂下液滴（５４）のサイズが約６μｌであり、サイズ減少速度を検知する前に前記垂下液滴のサイズを元の体積の約７０％分減少させる、請求項２６に記載の方法。
【請求項２８】
前記サイズ減少速度が少なくとも１．０×１０-8ｍ3／ｍ2／秒であり、これは、前記液体が前記振動プレート噴霧器において粒子サイズが最大約５０ミクロンで、大気中に噴出され、表面から少なくとも８ｃｍの高さから落ち、該表面に残留物を残さない液滴として噴霧されるのに適していることを示す、請求項２７に記載の方法。
【請求項２９】
前記液滴の表面張力を検知するステップと、噴霧適性を表す前記信号を前記表面張力が所定の値未満である条件に制限するステップとを更に含む、請求項２６乃至請求項２８のいずれか１項に記載の方法。
【請求項３０】
前記表面張力の値が３５ｍＮ／ｍ（３５ダイン／ｃｍ）未満である、請求項２９に記載の方法。
【請求項３１】
振動プレート噴霧器を用いる噴霧と、該噴霧器から形成された液滴の蒸発による液体の噴霧適性を評価するための装置であって、
前記液体の垂下液滴（５４）を形成し、前記液体を該液滴から蒸発させる間、該液滴（５４）を垂下させる手段（５０）と、
前記液体を前記垂下液滴から蒸発させる間の前記垂下液滴（５４）のサイズ減少速度を検知するように構成され、配置されたセンサ（５８、６２、６４）と、
前記センサ（５８、６２、６４）に接続され、前記サイズ減少速度が所定速度よりも速い場合に信号を生成し、これにより、隣接する表面に残留物を残さない噴霧への適性を示す、表示生成装置（６２）と、
を含む、装置。
【請求項３２】
前記液体が多成分液体芳香剤又は多成分液体殺虫剤であり、前記垂下液滴が初めは６μｌであり、前記垂下液滴のサイズが元の体積の約７０％減少した際に前記センサが前記サイズ減少速度を検知する、請求項３１に記載の装置。
【請求項３３】
前記センサ及び前記表示生成装置は、前記液滴（５４）の前記サイズ減少速度が少なくとも１．０×１０-8ｍ3／ｍ2／秒のとき、前記液体が、噴霧されて粒子サイズが最大約５０ミクロンの液滴になり、表面から少なくとも８ｃｍの高さから落ちるように該液滴が大気中に噴出され、該表面に残留物を残さない噴霧への適性を示す表示を生成するようにプログラムされている、請求項３２に記載の装置。
【請求項３４】
前記センサ（５８、６２、６４）は、前記液滴（５４）の表面張力を検知し、噴霧適性を表す前記信号を前記表面張力が所定の値未満である条件に制限するように構成される、請求項３３に記載の装置。
【請求項３５】
前記センサ及び前記表示生成装置は、前記液体を噴霧して粒子サイズが最大５０ミクロンの液滴にし、前記液滴の全体積の１０％以下が１５ミクロンよりも大きい液滴を含むよう噴霧する振動プレート噴霧器における蒸発への前記液体の適性を示す表示を提供するようにプログラムされており、前記表面張力が３５ｍＮ／ｍ（３５ダイン／ｃｍ）未満であるとき、前記液滴が大気中に噴出されて表面から少なくとも８ｃｍの高さから落ち、該表面に残留物を残さない、請求項３４に記載の装置。
【請求項３６】
隣接する表面に残留物を残さずに多成分溶液（２０）を蒸発させる方法であって、
水平表面（１２）の上に位置する振動プレート噴霧器（１０）を作動させて前記溶液の小液滴のミスト又はクラウドを形成するステップと、
小液滴の前記ミスト又はクラウドを大気中に噴出するステップと、
前記液滴を前記表面（１２）に向かって落下させるステップと、
を含み、
サイズが約６ミクロンである垂下液滴の元の体積の約７０％が蒸発した後、少なくとも１．０×１０-8ｍ3／ｍ2／秒の速度で蒸発するために前記垂下液滴のサイズが減少するような蒸発特性を備える前記溶液を選択することを特徴とする、
方法。
【請求項３７】
前記多成分溶液が多成分液体芳香剤又は多成分液体殺虫剤である、請求項３６に記載の方法。
【請求項３８】
前記ミスト又はクラウドの全液体体積に含まれる１５ミクロンよりも大きい直径の液滴は１０％以下である、請求項３７に記載の方法。
【手続補正２】
【補正対象書類名】明細書
【補正対象項目名】００１７
【補正方法】変更
【補正の内容】
【００１７】
式中、
Ｐv＝成分の蒸気圧（ｍｍＨｇ）
Ｄp＝粒子の直径（ｃｍ）
Δρ＝液滴と大気との間の濃度差（ｇ／ｃｍ3）
ｇ＝重力定数（ｍ／ｓ2）
Ｒ＝一般気体定数（ａｔｍ・ｌ／ｍｏｌ・Ｋ）
Ｔ＝絶対温度（ケルビン）
ρD＝液滴の濃度（ｇ／ｃｍ3）
μ＝大気の粘度（ポアズ）
Ｈ＝液滴が周囲表面に落ちる高さ（ｃｍ）
Ｍ＝大気の分子量（ｇモル）
ＤAB＝大気中の液滴の拡散係数（ｃｍ2／ｓｅｃ）
注：圧力１ｍｍＨｇ＝１３３．３Ｐａ